(57)【要約】【課題】サブハーネスを順次容易に箱本体に取り付けることができる電気接続箱を提供する。【解決手段】電気接続箱１は箱本体２を備えている。箱本体２の下面２ｂにはワイヤハーネス９のサブハーネス１１ａ，１１ｂ，１１ｃが取り付けられる。サブハーネス１１ａ，１１ｂ，１１ｃはコネクタ９ａ，９ｂ，９ｃを備えている。下面２ｂにはサブハーネス１１ａ，１１ｂ，１１ｃのコネクタ９ａ，９ｂ，９ｃが嵌合する嵌合部１０ａ，１０ｂ，１０ｃが設けられている。嵌合部１０ａ，１０ｂ間に仕切壁１２ａが設けられている。嵌合部１０ｂ，１０ｃ間に仕切壁１２ｂが設けられている。仕切壁１２ａ，１２ｂによりサブハーネス１１ａ，１１ｂ，１１ｃ毎にワイヤハーネス７が区分けされる。【選択図】図５
2006166661.tif 000002
【特許請求の範囲】
【請求項１】
複数のサブハーネスを含んだワイヤハーネスが取り付けられる箱本体を備えた電気接続箱であって、
前記箱本体には、前記サブハーネスの端末が取り付けられる複数の嵌合部と、
前記箱本体から凸でかつ前記サブハーネス毎に前記ワイヤハーネスを区分けする仕切壁と、が設けられていることを特徴とする電気接続箱。
【請求項２】
前記サブハーネスは、各々、前記箱本体の外縁から中央部に向かって配索されて、前記端末が前記嵌合部に取り付けられているとともに、
前記仕切壁は、前記箱本体の外縁寄りに切欠きを設けていることを特徴とする請求項１記載の電気接続箱。
【発明の詳細な説明】
【技術分野】
【０００１】
本発明は、移動体としての自動車などに搭載される電気接続箱に関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ジャンクションブロックを適宜箇所に配置してきた。前記ジャンクションブロックは、多数のヒューズやリレー等の各種の電気回路ユニットを集約して構成されている。
【０００４】
なお、ジャンクションブロックは、ヒューズ、リレー、ブスバーなどを有することもあることから、ヒューズブロック、リレーボックス、又は総称して電気接続箱とも呼ばれる。本明細書では、前述したヒューズブロック、リレーボックス、ジャンクションブロックを、総称して以下電気接続箱と呼ぶ。
【０００５】
電気接続箱は、外郭を形成する箱本体と、配線盤と、箱本体に取り付けられるカバー部材などを備えている。箱本体には、ヒューズやリレーなどの電気部品が装着される。また、箱本体には、ワイヤハーネスのコネクタなどが嵌合する。
【０００６】
ワイヤハーネスは、例えば、複数のサブハーネスを含んでいる。サブハーネスは、複数の電線と、該電線の端末などに取り付けられたコネクタなどを備えている。各サブハーネスのコネクタは、前述した箱本体の底面などに設けられた嵌合部に嵌合する。ワイヤハーネスは、各サブハーネスのコネクタが前述した嵌合部に嵌合するなどして、前述した箱本体に取り付けられる。
【０００７】
配線盤は、箱本体内に収容されており、前述したヒューズやリレーなどの電気部品と、ワイヤハーネスの各サブハーネスのコネクタの端子とを予め定められたパターンにしたがって、互いに電気的に接続する。カバー部材は、箱本体に取り付けられると、前述したワイヤハーネスのサブハーネスのコネクタなどを覆う。
【０００８】
前述した電気接続箱は、サブハーネスのコネクタが各嵌合部に嵌合してワイヤハーネスが取り付けられ、箱本体にカバー部材が取り付けられて組み立てられる。
【発明の開示】
【発明が解決しようとする課題】
【０００９】
前述した従来の電気接続箱は、ワイヤハーネスが複数のサブハーネスを備えているので、箱本体にサブハーネスのコネクタが順次取り付けられる。このとき、特に後の方に箱本体に取り付けられるサブハーネスを取り付ける際に、先に取り付けられたサブハーネスの電線が邪魔になって、箱本体の所定の位置に配索することが困難であった。
【００１０】
したがって、本発明の目的は、サブハーネスを順次容易に箱本体に取り付けることができる電気接続箱を提供することにある。
【課題を解決するための手段】
【００１１】
前記課題を解決し目的を達成するために、請求項１に記載の本発明の電気接続箱は、複数のサブハーネスを含んだワイヤハーネスが取り付けられる箱本体を備えた電気接続箱であって、前記箱本体には、前記サブハーネスの端末が取り付けられる複数の嵌合部と、前記箱本体から凸でかつ前記サブハーネス毎に前記ワイヤハーネスを区分けする仕切壁と、が設けられていることを特徴としている。
【００１２】
請求項２に記載の本発明の電気接続箱は、請求項１記載の電気接続箱において、前記サブハーネスは、各々、前記箱本体の外縁から中央部に向かって配索されて、前記端末が前記嵌合部に取り付けられているとともに、前記仕切壁は、前記箱本体の外縁寄りに切欠きを設けていることを特徴としている。
【００１３】
請求項１に記載した本発明の電気接続箱によれば、仕切壁によりサブハーネス毎にワイヤハーネスが区分けされるので、先に箱本体に取り付けられたサブハーネスが後に箱本体に取り付けられるサブハーネスの妨げにならない。
【００１４】
請求項２に記載した本発明の電気接続箱によれば、仕切壁に切欠きが設けられているので、切欠きを通して、所定の位置にサブハーネスを通すことができる。
【発明の効果】
【００１５】
以上説明したように請求項１に記載の本発明は、先に箱本体に取り付けられたサブハーネスが後に箱本体に取り付けられるサブハーネスの妨げにならない。このため、サブハーネスを容易に箱本体に取り付けることができる。
【００１６】
請求項２に記載の本発明は、仕切壁に設けられた切欠きを通して、所定の位置にサブハーネスを通すことができるので、、電気接続箱全体の高さを高くすることなく、サブハーネス毎に区分けして、これらのサブハーネスを箱本体に取り付けることができる。
【発明を実施するための最良の形態】
【００１７】
以下、本発明の一実施形態にかかる電気接続箱を、図１ないし図５に基づいて説明する。
【００１８】
本実施形態にかかる図１に示す電気接続箱１は、移動体としての自動車に搭載される。電気接続箱１は、図１及び図２に示すように、箱本体２と、図示しない配線盤と、カバー部材としてのロアカバー３とを備えている。箱本体２は、絶縁性の合成樹脂からなり、周知の射出成形により成形される。箱本体２は、複数の外壁４により、筒状（箱状）に形成されている。
【００１９】
また、箱本体２の図１中の上方に位置する上面（表面に相当する）２ａには、リレー５及びヒューズ６などの電気部品が装着される装着部８が複数設けられている。
【００２０】
また、箱本体２の図２中の下方に位置する下面２ｂには、図３ないし図５に示すように、前述した自動車に配索されるワイヤハーネス７（図２、図３及び図５中に示す）のコネクタ９ａ，９ｂ，９ｃが嵌合する嵌合部１０ａ，１０ｂ，１０ｃが複数設けられている。ワイヤハーネス７は、サブハーネス１１ａ，１１ｂ，１１ｃを複数備えている。図示例では、ワイヤハーネス７は、サブハーネス１１ａ，１１ｂ，１１ｃを三つ備えている。以下、サブハーネス１１ａ，１１ｂ，１１ｃを、それぞれ、第１サブハーネス、第２サブハーネス及び第３サブハーネスと呼ぶ。
【００２１】
第１ないし第３サブハーネス１１ａ，１１ｂ，１１ｃは、それぞれ、例えば、前述した自動車のＡＢＳ（Antilock Brake System）などの各系統に対応して（各系統毎）設けられている。第１ないし第３サブハーネス１１ａ，１１ｂ，１１ｃは、それぞれ、複数の電線と、該電線の端末などに取り付けられたコネクタ９ａ，９ｂ，９ｃとを備えている。コネクタ９ａ，９ｂ，９ｃが前述した箱本体２に設けられた嵌合部１０ａ，１０ｂ，１０ｃに嵌合するので、箱本体２の下面２ｂには、ワイヤハーネス７の第１ないし第３サブハーネス１１ａ，１１ｂ，１１ｃの端末が取り付けられる。
【００２２】
さらに、第１ないし第３サブハーネス１１ａ，１１ｂ，１１ｃは、前述した自動車に搭載される各種の電子機器などに取り付けられる図示しないコネクタを備えている。また、前述した各サブハーネス１１ａ，１１ｂ，１１ｃは、箱本体２の外縁から該箱本体２の中央部に向かって配されて、端末即ちコネクタ９ａ，９ｂ，９ｃが嵌合部１０ａ，１０ｂ，１０ｃに嵌合して、箱本体２に取り付けられる。
【００２３】
また、箱本体２には、複数の仕切壁１２ａ，１２ｂが設けられている。図示例では、仕切壁１２ａ，１２ｂは、二つ設けられている。これらの仕切壁１２ａ，１２ｂは、箱本体２の下面２ｂから凸でかつ該下面２ｂからロアカバー３即ち図１中の下方に向かって延びている。また、仕切壁１２ａ，１２ｂの両表面は、後述の矢印Ｋと平行である。
【００２４】
一つの仕切壁１２ａは、前述した第１サブハーネス用の嵌合部１０ａと、前述した第２サブハーネス用の嵌合部１０ｂとの間に設けられて、これらの嵌合部１０ａ，１０ｂ同士を仕切っている。即ち、一つの仕切壁１２ａは、前述した下面２ｂとロアカバー３とで囲まれる空間を、第１サブハーネス用の空間（第１サブハーネス１１ａを収容する空間）と、第２サブハーネス用の空間（第２サブハーネス１１ｂを収容する空間）とに仕切っている。
【００２５】
他の一つの仕切壁１２ｂは、前述した第２サブハーネス用の嵌合部１０ｂと、前述した第３サブハーネス用の嵌合部１０ｃとの間に設けられて、これらの嵌合部１０ｂ，１０ｃ同士を仕切っている。即ち、他の一つの仕切壁１２ｂは、前述した下面２ｂとロアカバー３とで囲まれる空間を、第２サブハーネス用の空間（第２サブハーネス１１ｂを収容する空間）と、第３サブハーネス用の空間（第３サブハーネス１１ｃを収容する空間）とに仕切っている。
【００２６】
前述した構成の仕切壁１２ａ，１２ｂは、前述したように嵌合部１０ａ，１０ｂ，１０ｃ同士を仕切り、かつ前述した空間内にサブハーネス１１ａ，１１ｂ，１１ｃを位置付けることで、ワイヤハーネス７を各サブハーネス１１ａ，１１ｂ，１１ｃ毎に区分けする。前述した仕切壁１２ａ，１２ｂは、サブハーネス１１ａ，１１ｂ，１１ｃの長手方向（即ち、後述する電線通し孔１７が設けられた外壁１５に接離する方向、前記外壁１５に交差する方向、電線通し孔１７を通してサブハーネス１１ａ，１１ｂ，１１ｃが電気接続箱１内に導かれる方向ともいう）に沿って、直線状に延びている。
【００２７】
さらに、仕切壁１２ａ，１２ｂには、それぞれ、切欠き１３が設けられている。切欠き１３は、仕切壁１２ａ，１２ｂのロアカバー３の電線通し孔１７寄りの部分１３ａ（図３中に二点鎖線で示す）が、切り欠かれて形成されている。切欠き１３は、前述した電線通し孔１７寄りの縁から箱本体２の中央部に向かって、仕切壁１２ａ，１２ｂを切り欠いて、前述した空間同士を連通している。即ち、仕切壁１２ａ，１２ｂは、箱本体２の外縁寄りの部分に切欠き１３を設けている。
【００２８】
また、箱本体２の外壁４には、ロアカバー３と固定用の係止部１４が複数設けられている。係止部１４は、箱本体２の前述した下面２ｂ寄りの縁部に設けられている。
【００２９】
配線盤は、導電性のバスバと、絶縁板などを備えている。バスバは、導電性の板金に打ち抜き加工などのプレス加工が施されて得られる。バスバは、複数設けられている。複数のバスバは、互いに重ねられている。絶縁板は、互いに重ねられたバスバ間などに配され、バスバ同士が意図しない箇所で相互に電気的に接続すること則ち短絡することを防止するとともに、バスバを位置決めしている。
【００３０】
配線盤は、箱本体２内に収容される。配線盤は、箱本体２内に収容されると、バスバがワイヤハーネス７のサブハーネス１１ａ，１１ｂ，１１ｃのコネクタ９ａ，９ｂ，９ｃの端子と、装着部８に装着されたリレー５及びヒューズ６などの電気部品とを予め定められたパターンにしたがって、互いに電気的に接続する。
【００３１】
ロアカバー３は、絶縁性の合成樹脂などからなり、周知の射出成形により成形される。ロアカバー３は、互いに連なる複数の外壁１５を備えて、有底筒状に形成されている。ロアカバー３の外壁１５には、前述した係止部１４と係止する係止部１６が複数設けられている。ロアカバー３は、係止部１６が箱本体２の係止部１４に係止して、箱本体２の前述した下面２ｂを覆うように、箱本体２に取り付けられる。
【００３２】
箱本体２とロアカバー３とが互いに組み付けられる際には、これらの箱本体２とロアカバー３とは前述した上面２ａ及び下面２ｂに対し直交する矢印Ｋに沿って、互いに近づけられる。なお、矢印Ｋは、箱本体２とロアカバー３とが互いに近づく方向をなしている。
【００３３】
さらに、ロアカバー３には、電線通し孔１７が設けられている。電線通し孔１７は、図２中奥側に位置する一つの外壁１５を貫通している。電線通し孔１７は、前述した各サブハーネス１１ａ，１１ｂ，１１ｃ即ちワイヤハーネス７の電線を通す。
【００３４】
前述した電気接続箱１は、以下のように組み立てられる。まず、箱本体２内に配線盤を収容し、箱本体２の上面２ａに設けられた装着部８にヒューズ６やリレー５などの電気部品を装着する。そして、電気接続箱１は、箱本体２の下面２ｂに設けられた嵌合部１０ａ，１０ｂ，１０ｃにワイヤハーネス７の各サブハーネス１１ａ，１１ｂ，１１ｃのコネクタ９ａ，９ｂ，９ｃを嵌合させる。
【００３５】
このとき、第１サブハーネス１１ａのコネクタ９ａを所望の嵌合部１０ａに嵌合して、該第１サブハーネス１１ａを前述した仕切壁１２ａより箱本体２の外側に位置付ける。こうして、第１サブハーネス１１ａを前述した第１サブハーネス用の空間内に位置付ける。そして、第２サブハーネス１１ｂのコネクタ９ｂを所望の嵌合部１０ｂに嵌合して、該第２サブハーネス１１ｂを前述した仕切壁１２ａ，１２ｂ間に位置付ける。こうして、第２サブハーネス１１ｂを前述した第２サブハーネス用の空間内に位置付ける。その後、第３サブハーネス１１ｃのコネクタ９ｃを所望の嵌合部１０ｃに嵌合して、該第３サブハーネス１１ｃを前述した仕切壁１２ｂの箱本体２の外側に位置付ける。こうして、第３サブハーネス１１ｃを前述した第３サブハーネス用の空間内に位置付ける。このように、第１サブハーネス１１ａ、第２サブハーネス１１ｂ、第３サブハーネス１１ｃと順に箱本体２に取り付ける。
【００３６】
そして、第１サブハーネス１１ａと第２サブハーネス１１ｂと第３サブハーネス１１ｃとを束ねて、これらの外周にテープを巻く。これら第１ないし第３サブハーネス１１ａ，１１ｂ，１１ｃ即ちワイヤハーネス７を電線通し孔１７に通して、箱本体２とロアカバー３とを矢印Ｋに沿って互いに近づける。
【００３７】
そして、係止部１４，１６同士が互いに係止して、箱本体２とロアカバー３とが互いに組み付けられる。こうして、前述した電気接続箱１は、組み立てられて、自動車に搭載される。そして、電気接続箱１は、自動車の電子機器と、ヒューズ６やリレー５などの電気部品などとを、予め定められたパターンにしたがって、互いに電気的に接続する。
【００３８】
本実施形態によれば、仕切壁１２ａ，１２ｂによりサブハーネス１１ａ，１１ｂ，１１ｃ毎にワイヤハーネス７が区分けされるので、先に箱本体２に取り付けられたサブハーネス１１ａ，１１ｂが後に箱本体２に取り付けられるサブハーネス１１ｂ，１１ｃの妨げにならない。このため、サブハーネス１１ａ，１１ｂ，１１ｃを容易に箱本体２に取り付けることができる。
【００３９】
また、仕切壁１２ａ，１２ｂに切欠き１３が設けられているので、切欠き１３を通して、所定の位置にサブハーネス１１ａ，１１ｂ，１１ｃを通すことができる。このため、箱本体２とロアカバー３とを合わせた電気接続箱１全体の高さを高くすることなく、サブハーネス１１ａ，１１ｂ，１１ｃ毎に区分けできる。したがって、箱本体２とロアカバー３とを合わせた電気接続箱１全体を大型化することなく、サブハーネス１１ａ，１１ｂ，１１ｃを箱本体２に取り付けることができる。
【００４０】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４１】
【図１】本発明の一実施形態に係る電気接続箱の斜視図である。
【図２】図１に示された電気接続箱を分解して示す斜視図である。
【図３】図２に示された電気接続箱の箱本体とサブハーネスの要部を下側からみた斜視図である。
【図４】図３に示された箱本体の平面図である。
【図５】図４に示された箱本体にサブハーネスが取り付けられた状態を示す平面図である。
【符号の説明】
【００４２】
１  電気接続箱
２  箱本体
７  ワイヤハーネス
１０ａ，１０ｂ，１０ｃ  嵌合部
１１ａ，１１ｂ，１１ｃ  サブハーネス
１２ａ，１２ｂ  仕切壁
１３  切欠き
【図１】
2006166661.tif 000003
【図２】
2006166661.tif 000004
【図３】
2006166661.tif 000005
【図４】
2006166661.tif 000006
【図５】
2006166661.tif 000007